(57)【要約】【課題】吸収性に優れて横漏れがなく、また、体液の付着による皮膚のかぶれや不快感を除去した吸収性物品を提供すること。【解決手段】トップシートと、バックシートと、前記両シート間に介在された吸収体とを具備して成る吸収性物品において、前記トップシートを、親水性領域と疎水性領域とを交互に同心かつ円心状に有するシート材により構成する。【選択図】　　　　図１
2004033325.tif 000002
【特許請求の範囲】
【請求項１】
トップシートと、バックシートと、前記両シート間に介在された吸収体とを具備して成る吸収性物品において、前記トップシートを、親水性領域と疎水性領域とを交互に同心かつ円心状に有するシート材により構成したことを特徴とする吸収性物品。
【請求項２】
前記疎水性領域は前記親水性領域より高位置に形成されていることを特徴とする請求項１に記載の吸収性物品。
【請求項３】
前記親水性領域及び疎水性領域は環状に形成されていることを特徴とする請求項１または請求項２に記載の吸収性物品。
【請求項４】
前記親水性領域及び疎水性領域は多角形状に形成されていることを特徴とする請求項１または請求項２に記載の吸収性物品。
【発明の詳細な説明】
【０００１】
【発明の属する技術分野】
本発明は、トップシートと、バックシートと、前記両シート間に介在された吸収体とを具備して成る吸収性物品に関し、さらに詳細には、トップシートを改良することにより、吸収性に優れて横漏れがなく、また、体液の濡れによる皮膚のかぶれや不快感等を除去した吸収性物品に関する。
【０００２】
【従来の技術】
使い捨て紙おむつ、吸収パッド、あるいは生理用ナプキン等の吸収性物品に対しては、先ず、吸収性に優れていることが要求される。これは、尿等の体液が吸収性物品の吸収体に吸収されず、表面に濡れた状態で残っていると、着用者に不快感を与えるのみならず、着用者の皮膚にかぶれを生じさせる等の、皮膚衛生面においても問題があるからである。
【０００３】
このため、従来より、このように体液により濡れた場合にも、着用者に不快感や皮膚のかぶれ等を与えないようにした吸収性物品、とくに着用者の皮膚に直接触れるトップシートについて種々の改善策が講じられている。
【０００４】
例えば、吸収性物品の製造過程において、元来撥水性を有する不織布等から成るシート材に親水化処理を施して透液性を与えることによりトップシートを作製することが一般に行われている。しかし、トップシートの全面に親水性を与えると、体液がこの透液性を有するトップシートに付着したままとなり、場合により逆戻り（ｗｅｔ　ｂａｃｋ）現象を起こす等により、上記問題は依然として解決されないことが判明している。
【０００５】
これに対し、例えば特表２００１−５２１５９０号公報には、図５に平面図で示すように、トップシート５０の表面、すなわち皮膚と接触する面に、親水性を有する領域５１と、この領域よりも高い位置に疎水性を有する領域５２を点在させ、疎水性領域５２を皮膚と接触させ、親水性領域５１を皮膚から遠ざけるようにして乾き感を着用者に与えるようにしたパッド等の吸収性物品が開示されている。
【０００６】
【発明が解決しようとする課題】
しかし、このような表面シート５０を有して成る吸収性物品では、疎水性領域５２により乾き感が得られるとしても、矢印Ｙで示すように、体液が谷間に相当する親水性領域５１を伝わって股間部の両側部に移動し、最終的には脚周り部から外に漏れ出して横漏れを起こす欠点があった。
【０００７】
本発明は、従来技術の有する上記欠点を解消し、吸収性に優れて横漏れがなく、また、体液の付着による皮膚のかぶれや不快感を除去した吸収性物品を提供することを目的とする。
【０００８】
【課題を解決するための手段】
本発明の上記目的は、トップシートと、バックシートと、前記両シート間に介在された吸収体とを具備して成る吸収性物品において、前記トップシートを、親水性領域と疎水性領域とを交互に同心かつ円心状に有するシート材により構成したことを特徴とする吸収性物品によって達成される。
【０００９】
また、本発明の上記目的は、前記疎水性領域は前記親水性領域より高位置に形成されていることを特徴とする吸収性物品により、より効果的に達成される。
【００１０】
また、本発明の上記目的は、前記親水性領域及び疎水性領域は環状に形成されていることを特徴とする吸収性物品により、より効果的に達成される。
【００１１】
さらにまた、本発明の上記目的は、前記親水性領域及び疎水性領域は矩形状に形成されていることを特徴とする吸収性物品により、より効果的に達成される。
【００１２】
【発明の実施の形態】
以下、本発明の内容を、吸収性物品が使い捨ての紙おむつの場合を例に説明する。なお、本発明は以下の実施形態に限定されるものではなく、特許請求の範囲を逸脱しない範囲において構成を種々に変更できることはういうまでもない。
【００１３】
図１は、本発明の一実施形態であるテープ式の使い捨て紙おむつ（「以下、紙おむつ」という）１を展開して表面から見た平面図、図２は図１のＭ−Ｍ断面拡大図である。本紙おむつ１は外観形状については一般によく知られているもので、トップシート２と、バックシート３と、これらのシート間に介在された吸収体４とから成るおむつ本体５を、平面視で砂時計形状とし、前身頃Ｆの胴周り部６Ｆには弾性伸縮部材７Ｆを、同様に、後身頃Ｂの胴周り部６Ｂには弾性伸縮部材７Ｂを、また股間部Ｋの脚周り部６Ｋには弾性伸縮部材７Ｋを、夫々、トップシート２とバックシート３との間に介在させ、かつ、おむつ本体５を着用者の腰部に固定するためのファスニングテープ８を胴周り部６Ｂの両側に連結したものである。
【００１４】
ここに、トップシート２の素材には、柔軟で肌触りがよく、かつ透液性に富んだ綿繊維、不織布、織布、合成繊維等が用いられ、このシート材の表面側には、図示するように、親水性領域２Ａ（２Ａ１〜２Ａ３）と疎水性領域２Ｂ（２Ｂ１〜２Ｂ３）とが交互に、股間部Ｋの中央部Ｋ０に同一の中心を有し、かつ円心状に広がった楕円形状の領域によって形成されている。なお、本実施形態ではこの楕円形状をなす親水性領域２Ａ（２Ａ１〜２Ａ３）が疎水性領域２Ｂ（２Ｂ１〜２Ｂ２）によって３重に設けられているが、必要によりその数を増減できることはいうまでもない。また、形状も楕円形に限らず、例えば円形や円形の組合せ等の、環状（閉ループ状）のものとしてもよい。親水性領域２Ａ（２Ａ１〜２Ａ３）は前記シート材により形成されているのに対し、疎水性領域２Ｂ（２Ｂ１〜２Ｂ２）は、前記シート材の表面に撥水剤を塗布ないし噴霧すること、あるいは撥水性部材を貼着すること等により、厚さ２Ｂｔをもって親水性領域２Ａ（２Ａ１〜２Ａ３）より高位置に形成されている。なお、前記各領域は、本紙おむつ１の製造過程、具体的には、前記シート材をロールから繰り出し、おむつ本体５を形成する工程で形成される。ここに、親水性領域２Ａ（２Ａ１〜２Ａ３）の幅２Ａｗ、疎水性領域２Ｂの幅２Ｂｗ及び厚さ２Ｂｔは目的、用途等に応じ任意に設定することができるが、本実施形態では親水性領域２Ａの幅２Ａｗは１０ｍｍ〜３０　　ｍｍに、疎水性領域２Ｂの幅２Ｂｗは１０ｍｍ〜３０ｍｍに、そしてその厚さ２Ｂｔは０ｍｍ〜１ｍｍ程度に設定されている。
【００１５】
バックシート３は、液不透過性を有する不織布、織布、プラスチックフィルム、あるいはこれらを貼り合わせたもので形成され、通気性あるいは透湿性を有する当分野では公知の材料等が好ましく用いられる。
【００１６】
弾性伸縮部材７Ｂ，７Ｆ，７Ｋは、ゴム紐等の伸び縮みを有する材料で形成され、用途により太さや本数が適宜に設定される。上述したように、これらの部材によりおむつ本体５の所定部分に平面ギャザーが形成され、これにより本紙おむつ１を着用したときに、おむつ本体５の身体への密着と体液の漏れ防止が図られる。
【００１７】
本紙おむつ１における吸収体４は、例えばパルプ繊維と高吸水性ポリマーとを、図２に断面図で示すように、クレープ紙４Ｃにより被覆して成り、トップシート２とバックシート３との間に介在されている。なお、吸収体４の構成はこれに限らず、公知の他の構成を採用できることはいうまでもない。
【００１８】
以上のとおり作られた本紙おむつ１を着用すると、乾燥感がある疎水性領域２Ｂ（２Ｂ１〜２Ｂ２）だけが着用者の下腹部や臀部等の皮膚に接触し、濡れている、あるいは濡れ感のある親水性領域２Ａ（２Ａ１〜２Ａ３）が直接触れることがないので、着用者にかぶれや不快感を与えることがない。
【００１９】
また、着用者が体液、例えば尿を、図１に示すように親水性領域２Ａ２のＰ点で漏らしたような場合には、尿は隣接する疎水性領域２Ｂ１及び２Ｂ２に堰き止められ、親水性領域２Ａ２内を矢印Ｙで示す股間部Ｋ方向に向かって流れるように作用し、直ちに、クレープ紙４Ｃを介して吸収体４の内部に吸収、貯留される。このように、本紙おむつ１では、尿等の体液が疎水性領域２Ｂ（２Ｂ１〜２Ｂ２）により両サイドに移動することが阻止され、直ちに吸収体４に吸収されるので、体液の横漏れを確実に防止することができる。
【００２０】
図３は、本発明の他の実施形態であるテープ式の使い捨て紙おむつ（「以下、紙おむつ」という）１’を展開して表面から見た平面図、図４は図３のＮ−Ｎ断面図で、とくにトップシート２のみを拡大して断面図で示したものである。なお、本紙おむつ１’は、トップシート２の表面構造を除き、前記紙おむつ１と同一の構成を有するものであるので、前記紙おむつ１と同一の構成部品には同一の符号が付されている。
【００２１】
本紙おむつ１’では、トップシート２の表面側に、図３に示すように、親水性領域２’Ａ（２’Ａ１〜２’Ａ３）と疎水性領域２’Ｂ（２’Ｂ１〜２’Ｂ４）とが交互に、股間部Ｋの中央部Ｋ０に同一の中心を有し、かつ円心状に広がった矩形状の領域によって形成されている。なお、本実施形態ではこの矩形状をなす親水性領域２’Ａ（２’Ａ１〜２’Ａ３）が、前記実施形態と同様に、疎水性領域疎水性領域２’Ｂ（２’Ｂ１〜２’Ｂ４）によって３重に設けられているが、必要によりその数を増減でき、また、各領域の幅寸法等についても任意に設定できることはいうまでもない。さらにまた、形状も矩形状に限らず、このほか３角形や５角形等の、多角形状とすることもできる。
【００２２】
以上のとおり、本紙おむつ１’は、前記紙おむつ１と比較し、おむつ本体５のトップシート２に形成される親水性領域２’Ａ（２’Ａ１〜２’Ａ３）と疎水性領域疎水性領域２’Ｂ（２’Ｂ１〜２’Ｂ４）の形状が矩形状となっている点で相違するが、着用時の感触や漏れた尿等の体液の挙動については前記紙おむつ１と同様である。よって、本紙おむつ１’によっても前記同様な作用効果が得られる。
【００２３】
以上の実施形態では、疎水性領域を、撥水剤をトップシート素材の表面に厚みをもって形成するようにしたが、本発明においては必ずしも親水性領域と疎水性領域との間に高低差をつける必要はなく、例えばトップシートの素材自体に親水性領域と疎水性領域とを織り入れる等により、表面をフラットに形成してもよい。
【００２４】
また、親水性領域と疎水性領域とはトップシートの全面に形成する必要はなく、例えば、着用者の下腹部、股間部、臀部をカバーする範囲に限定して形成するようにしてもよい。
【００２５】
【発明の効果】
以上に詳述したように、本発明によれば、吸収性に優れて横漏れがなく、また、体液の付着による皮膚のかぶれや不快感のない爽快な吸収性物品を提供することができる。
【図面の簡単な説明】
【図１】
本発明の一実施形態に係わる使い捨て紙おむつを展開して表面側から見た平面図である。
【図２】
図１のＭ−Ｍ断面拡大図である。
【図３】
本発明の他の実施形態に係わる使い捨て紙おむつを展開して表面側から見た平面図である。
【図４】
図３のＮ−Ｎ断面の要部拡大図である。
【図５】
従来の吸収性物品の平面図である。
【符号の説明】
１，１’　　　　　　　　　　　　　紙おむつ
２，５０　　　　　　　　　　　　トップシート
２Ａ，２’Ａ，　　　　　　　　　　親水性領域
２Ｂ，２’Ｂ，　　　　　　　　　　疎水性領域
３　　　　　　　　　　　　　　　バックシート
４　　　　　　　　　　　　　　　吸収体
５　　　　　　　　　　　　　　　おむつ本体
８　　　　　　　　　　　　　　　ファスニングテープ
５０　　　　　　　　　　　　　　トップシート
５１　　　　　　　　　　　　　　親水性領域
５２　　　　　　　　　　　　　　疎水性領域
【図１】
2004033325.tif 000003
【図２】
2004033325.tif 000004
【図３】
2004033325.tif 000005
【図４】
2004033325.tif 000006
【図５】
2004033325.tif 000007